(57)【要約】【課題】伝票等の帳票とドライバーズカード等のカードが好適に配布でき、安価でかつスマートなカード付き帳票収納体を提供する。【解決手段】カード付き帳票収納体１０は、第１のシート基材１１と、第２のシート基材１２と、第３のシート基材１３と、カード部１４と、伝票２０等とを備え、第１のシート基材１１の左側半分及び第２のシート基材１２は、パターン糊ａによって３辺が貼り合わされ、袋形状の伝票収納用のポケットを形成するための基材であり、第１のシート基材１１の右側半分及び第３のシート基材１３は、接着層ｂによって略全面が貼り合わされ、貼り合わせ構造を形成するための基材であり、第１のシート基材１１には、白色系の着色層が設けられており、第２のシート基材１２には、透過性を有する基材が用いられており、カード部１４は、略カード形状に分離して剥がし取れるように形成され、伝票２０と関連性のある情報を有している。【選択図】図１
2005225178.tif 000002
【特許請求の範囲】
【請求項１】
複数のシート基材と、
前記シート基材同士の貼り合わせによって形成され、帳票を収納する袋形状の収納部と、
前記シート基材の少なくとも一部に、略カード形状に分離して剥がし取れるように形成され、前記帳票と関連性のある情報を有するカード部と、
を備えるカード付き帳票収納体。
【請求項２】
請求項１に記載のカード付き帳票収納体において、
前記収納部を形成する少なくとも１つの前記シート基材は、透過性を有する基材であること、
を特徴とするカード付き帳票収納体。
【請求項３】
請求項２に記載のカード付き帳票収納体において、
前記透過性を有する基材は、パルプ繊維を主体とするシート、合成樹脂を主体とするシート、又は、これらを貼り合わせた貼合シートであること、
を特徴とするカード付き帳票収納体。
【請求項４】
請求項１から請求項３までのいずれか１項に記載のカード付き帳票収納体において、
前記収納部の内面に、網点面積率が１００％の着色層を備えること、
を特徴とするカード付き帳票収納体。
【請求項５】
請求項４に記載のカード付き帳票収納体において、
前記着色層は、白色系であり、前記透過性を有する基材と対向する部分に設けられていること、
を特徴とするカード付き帳票収納体。
【発明の詳細な説明】
【技術分野】
【０００１】
本発明は、伝票等を収納して、配布するのに適したカード付き帳票収納体に関するものである。
【背景技術】
【０００２】
従来、宅配事業者は、販促活動として伝票等を希望者に配布している（例えば、特許文献１）。
【０００３】
このとき、伝票は、直接渡しても構わないが、日本的な情緒性もあり、封筒やビニル袋に入れて渡したほうが、印象がよい。
しかし、封筒やビニル袋は、コストがかかるわりに、受け取った側ではすぐに捨ててしまう場合が多いので、費用対効果の面で効率が悪く、また、環境保護の面からもあまり好ましいものではなかった。
【０００４】
一方、宅配事業者では、サービス改善を推進するため、地域毎に担当のドライバーを定めるとともに、全ドライバーに携帯電話を携行させることで、顧客とのコンタクト性の向上を図っている。
【０００５】
このドライバーの携帯電話の電話番号を、担当地域の生活者に周知させるため、『ドライバーズカード』と呼ばれる名刺状のカードを配布することがある。ドライバーズカードは、ドライバー毎に異なる内容となるため、一般には、プリンタを用いて印字が行われている。
【０００６】
以上のように、宅配事業者では、伝票とドライバーズカードとの両方を生活者に配布しているが、伝票が希望者のみであるのに対し、ドライバーズカードは、担当地域全軒に配布しているため、両方を同時に配布することは稀であった。
【０００７】
これらの伝票やドライバーズカードは、郵便ポストへの『投げ込み』によって生活者に配布される場合がある（いわゆるポスティング）。
その場合、封筒に入れられた伝票は問題無いが、ドライバーズカードは小さいため、ポスト内で新聞に挟まったり、他の郵便物に紛れたりして、紛失してしまうことが想定され、多くの場合は荷物を届ける際に、手渡しするスタイルが定着している。
【０００８】
しかし、この手渡しスタイルも万能ではない。
例えば、届ける荷物がない場合、手渡しすることさえ難しく、仮に発送する荷物が頻繁にあったとしても、宅配業者からアプローチすることが難しいという問題があった。
【特許文献１】特開２００２−０７２８８８号公報
【発明の開示】
【発明が解決しようとする課題】
【０００９】
本発明の課題は、伝票等の帳票とドライバーズカード等のカードが好適に配布でき、安価でかつスマートなカード付き帳票収納体を提供することである。
【課題を解決するための手段】
【００１０】
本発明は、以下のような解決手段により、前記課題を解決する。なお、理解を容易にするために、本発明の実施例に対応する符号を付して説明するが、これに限定されるものではない。
請求項１の発明は、複数のシート基材（１１、１２、１３）と、前記シート基材（１１、１２）同士の貼り合わせによって形成され、帳票（２０）を収納する袋形状の収納部と、前記シート基材（１３）の少なくとも一部に、略カード形状に分離して剥がし取れるように形成され、前記帳票（２０）と関連性のある情報を有するカード部（１４）と、を備えるカード付き帳票収納体である。
【００１１】
請求項２の発明は、請求項１に記載のカード付き帳票収納体において、前記収納部を形成する少なくとも１つの前記シート基材（１２）は、透過性を有する基材であること、を特徴とするカード付き帳票収納体である。
【００１２】
請求項３の発明は、請求項２に記載のカード付き帳票収納体において、前記透過性を有する基材は、パルプ繊維を主体とするシート、合成樹脂を主体とするシート、又は、これらを貼り合わせた貼合シートであること、を特徴とするカード付き帳票収納体である。
【００１３】
請求項４の発明は、請求項１から請求項３までのいずれか１項に記載のカード付き帳票収納体において、前記収納部の内面に、網点面積率が１００％の着色層を備えること、を特徴とするカード付き帳票収納体である。
【００１４】
請求項５の発明は、請求項４に記載のカード付き帳票収納体において、前記着色層は、白色系であり、前記透過性を有する基材と対向する部分に設けられていること、を特徴とするカード付き帳票収納体である。
【発明の効果】
【００１５】
本発明によれば、複数のシート基材同士の貼り合わせによって形成され、帳票を収納する袋形状の収納部と、帳票と関連性のある情報を有するカード部とを備えるので、安価に製造でき、帳票とカード部とを効率よく一体化することができる。
【発明を実施するための最良の形態】
【００１６】
本発明は、伝票等の帳票とドライバーズカード等のカードが好適に配布でき、安価でかつスマートなカード付き帳票収納体を提供するという目的を、第１のシート基材の左側半分に、第２のシート基材を貼り合わせて伝票挿入用のポケットを形成し、第１のシート基材の右側半分に、第３のシート基材を貼り合わせてカード部を形成することにより実現する。
【実施例】
【００１７】
以下、図面等を参照して、本発明の実施例について、さらに詳しく説明する。
図１は、本発明によるカード付き帳票収納体の実施例を示す図であって、図１（Ａ）は、平面図、図１（Ｂ）は、断面図であり、図２は、カード付き帳票収納体の折り畳みの状態を示す図である。
本実施例のカード付き帳票収納体１０は、第１のシート基材１１と、第２のシート基材１２と、第３のシート基材１３と、カード部１４と、伝票２０等とを備え、天地方向の長さｈは、６インチ（１５２．４ｍｍ）程度であり、左右のマージナル部ｅを除いた幅方向の長さｗは、１７インチ（４３１．８ｍｍ）程度である。
【００１８】
第１のシート基材１１の左側半分及び第２のシート基材１２は、パターン状に設けられたパターン糊ａによって３辺が貼り合わされ、袋形状の伝票収納用のポケット（収納部）を形成するための基材である。
また、第１のシート基材１１の右側半分及び第３のシート基材１３は、接着層ｂによって略全面が貼り合わされ、貼り合わせ構造を形成するための基材である。
【００１９】
第１のシート基材１１には、第２のシート基材１２と対向する左側半分に、ベタ印刷によって網点面積率が約１００％の白色系の着色層が設けられており、この着色層は、第１のシート基材１１が透けてしまうことを防止している。
【００２０】
第２のシート基材１２には、透過性を有する基材が用いられ、例えば、パルプ繊維を主体とする紙、合成樹脂を主体とするシート、又は、これらを貼り合わせた貼合シートである。
【００２１】
したがって、白色系の着色層と透過性を有する基材との組み合わせにより、第１のシート基材１１と第２のシート基材１２との間のポケットは、乳白の半透明状態となり、高級感が得られ、本実施例では、このポケットに、帳票としての伝票２０を収納している。
【００２２】
第３のシート基材１３は、２つのカード部１４を備える。
カード部１４は、第３のシート基材１３の表面から第１のシート基材１１を貫通しないように切り込まれたハーフカットｈｃによって略カード形状に区画されるとともに、カード部１４の下層に設けられた剥離層ｃによって分離して剥がし取れるように形成されており（擬似接着構造）、また、伝票２０と関連性のある情報を有している。
【００２３】
２つのカード部１４のうち、一方（上側）は、関連性のある情報として、「ドライバーの名前」、「携帯電話の電話番号」等を有するドライバーズカードであり、他方（下側）は、関連性のある情報として「営業所の住所」、「営業所の電話番号」等を有する営業所カードである。
【００２４】
そして、連続プリンタを用いて、カード付き帳票収納体１０の各シート基材に、必要な情報を印字する。
このとき、カード部１４には、ドライバーや営業所に応じた個別情報を印字することができ、また、第２のシート基材１２には、印字しない部分を設け、透明状態を保てば、内部の伝票２０を確認するための窓部ｄとして活用することができる。
【００２５】
必要な情報が印字されたカード付き帳票収納体１０は、左右のマージナル部ｅが切り落とされ、図２に示すように、中央付近で折り畳まれ、生活者に配布される。
【００２６】
このように、本実施例によれば、郵便ポストに収まる大きめのサイズとし、その中に擬似接着構造を介してカード部１４を設けているため、ポスティングしても紛失する可能性が低減でき、また、全てが一体化され、安価に製造できるとともに、スマートな形態となるため、玄関先で説明しながら手渡ししても見栄えがよく、渡しやすい。
【００２７】
また、プリンタで印字できる構成としているため、カード部１４と各シート基材とのマッチングも不要であり、利便性が高い。
【００２８】
さらに、伝票挿入用のポケットは、透過性を有する基材を使用しているので、伝票挿入時には、内部を確認しながら作業が行え、伝票２０の「引っ掛かり」がない。
【００２９】
さらにまた、第２のシート基材１２には、パルプ繊維を主体とする紙、合成樹脂を主体とするシート、又は、これらを貼り合わせた貼合シートが用いられているので、より安価に製造することができ、環境にもやさしい。
【００３０】
一方、このカード付き帳票収納体１０を届けられた側では、この状態のまま伝票２０を保管することができ、かつ、プリンタで印字されたカード部１４（ドライバーズカードや営業所カード）を備えているので、必要に迫られたときに、簡単に宅配を頼みやすくなる。
【００３１】
（変形例）
以上説明した実施例に限定されることなく、種々の変形や変更が可能であって、それらも本発明の均等の範囲内である。
（１）連続帳票の例で説明したが、カット紙状に仕上げれば、ＬＢＰ（レーザービームプリンタ）やＩＪ（インクジェットプリンタ）等のＯＡ／家庭用プリンタでも対応可能である。
（２）カード部１４の下層は、擬似接着構造の例で説明したが、再剥離粘着剤を使用してもよい。このようにすれば、シール等のラベルとして利用することができる。
（３）伝票２０に、管理番号を付してもよい。このようにすれば、プロモーション活動の費用対効果が確認できる。
（４）［伝票：ドライバーズカード、営業所カード］の組み合わせの例で説明したが、例えば、飲料販売のセールスレディの業務に対して［注文書：店舗情報］の組み合わせ、新聞入会の営業社員の業務に対して［申込書：販売店情報］の組み合わせ等でもよい。
【図面の簡単な説明】
【００３２】
【図１】本発明によるカード付き帳票収納体の実施例を示す図である。
【図２】カード付き帳票収納体の折り畳みの状態を示す図である。
【符号の説明】
【００３３】
１０  カード付き帳票収納体
１１  第１のシート基材
１２  第２のシート基材
１３  第３のシート基材
１４  カード部
２０  伝票
ａ  パターン糊
ｂ  接着層
ｃ  剥離層
ｄ  窓部
ｅ  マージナル部
ｈｃ  ハーフカット
【図１】
2005225178.tif 000003
【図２】
2005225178.tif 000004